(57)【特許請求の範囲】
【請求項１】
ＰＣａ柱部材、ＰＣａ梁部材、並びにハーフＰＣａ床部材を用いて構築される多層建物の構築方法において、
施工対象階に上記ＰＣａ柱部材を立設し、これらＰＣａ柱部材間に上記ＰＣａ梁部材を架設して柱・梁接合部内に配筋し、これらＰＣａ梁部材間に上記ハーフＰＣａ床部材を架設する第１工程と、
該第１工程の施工期間中に着工されて当該第１工程と同時並行的に施工され、施工対象階よりも１階層下に既に設置されている上記ハーフＰＣａ床部材上に、床配筋とスラブコンクリート打設を行って、１階層下の梁・床を一体化する第２工程と、
上記第１工程後に着工され、上記施工対象階の上記柱・梁接合部内にコンクリートを打設して当該施工対象階の柱・梁を一体化する第３工程とを含み、
これら第１〜第３工程を繰り返すことを特徴とする多層建物の構築方法。
【請求項２】
前記施工対象階における前記第１工程の作業工区は、該施工対象階よりも一階層下で施工される前記第２工程の作業工区の直上を避けた区域に設定されることを特徴とする請求項１に記載の多層建物の構築方法。
【請求項３】
ＰＣａ柱部材、ＰＣａ梁部材、並びにハーフＰＣａ床部材を用いて構築される多層建物の構築方法において、
施工対象階に上記ＰＣａ柱部材を立設し、これらＰＣａ柱部材間に上記ＰＣａ梁部材を架設して柱・梁接合部内に配筋し、これらＰＣａ梁部材間に上記ハーフＰＣａ床部材を架設する第１工程と、
該第１工程の施工期間中に着工されて当該第１工程と同時並行的に施工され、施工対象階よりも１階層下に既に設置されている１階層下の上記ハーフＰＣａ床部材よりもさらに直下に既に設置されかつ床配筋を完了した２階層下の上記ハーフＰＣａ床部材上に、スラブコンクリートを打設して、２階層下の梁・床を一体化する第２工程と、
上記第１工程後に着工され、上記施工対象階の上記柱・梁接合部内にコンクリートを打設して当該施工対象階の柱・梁を一体化する第３工程とを含み、
これら第１〜第３工程を繰り返すとともに、
上記第３工程からこれに続く上記第１工程にわたる施工期間中に着工されて少なくとも当該第３工程と同時並行的に施工され、上記１階層下の上記ハーフＰＣａ床部材上に床配筋を行う第４工程を備える
ことを特徴とする多層建物の構築方法。
【発明の詳細な説明】
【技術分野】
【０００１】
本発明は、床の構築に関わる作業をその他の構築作業から切り離し、当該床の構築に関わる作業の着工時期を適切に設定することで、ＰＣａ化率や揚重機の台数を不必要に増加させることなく、合理的に工期短縮を達成することが可能な多層建物の構築方法に関する。
【背景技術】
【０００２】
中・高層から超高層などの多層建物では、１フロアにかかる作業日数を減らすことが工期短縮に大きく寄与する。１フロアの構築作業は図５に示すように、概略、施工対象階（（ｎ）階）の床に柱を立設し（柱ＰＣａ）、立設した柱間に梁を架設し（梁ＰＣａ）、柱・梁接合部の配筋作業を行い、また、架設した梁間にＰＣａ製などのスラブ型枠を敷き込み（スラブＰＣａ）、スラブ型枠に床配筋を施し（スラブ配筋）、その後、スラブコンクリートを打設する（スラブトップＣｏｎ）とともに、柱・梁接合部内にもコンクリートを打設する（柱・梁接合部内Ｃｏｎ）ようにしている。そして、１フロアの構築作業が完了したら、その後、その上のフロア（（ｎ＋１）階）に対する構築作業に移るようにしている。
【０００３】
このような１フロアの構築に要する作業日数を減少するには、柱や梁、床などの躯体部材のＰＣａ化率を上げたり、揚重機の台数を増やすことが有効である。殊に、ＰＣａ化率を上げて、使用するＰＣａ製躯体部材の数量を増やすことに併せて、揚重機の台数を増やせば、躯体部材のＰＣａ化は工期短縮に大きく貢献する。しかしながら、ＰＣａ化率を上げたり、揚重機の台数を増やすことは、敷地条件やコスト面の制約を受ける場合があって、実現可能性としては低いものである。また、１フロアの構築作業を完了するには、これら各種躯体部材の建て込み作業だけではなく、そのほかに、上述した床配筋作業や各種部位へのコンクリート打設作業も行う必要があって、躯体部材の建て込み作業の効率化を図ってそれに要する作業日数を減らすことができても、その後に残る床配筋作業やコンクリート打設作業の作業日数を減少させることはできず、十分な工期短縮を確保することはできない。
【０００４】
また、躯体部材の建て込み作業と、その後に残る床配筋などを含む床を構築する作業とを切り離して、これら作業を別々に進めることが考えられ、特許文献１の「鉄筋コンクリート建築物の構築方法」では、床スラブの施工は、柱、梁構造体の施工時期に制約されず、下階任意の位置を選び随時行ないＲＣ建築物を構築するとしているが、このような施工計画では、躯体部材の建て込み作業を施工するフロアと床構築作業を施工するフロアとの間に開きが出れば出るほど、既に建て込んだ梁などを仮受けするのに必要な支保工の数量が増加し、最上階床の施工終了までの全体工期も延びることになる。
【特許文献１】特許第２８１４８７３号公報
【発明の開示】
【発明が解決しようとする課題】
【０００５】
上述したように、従来にあっては、躯体部材のＰＣａ化率を上げたり揚重機の台数を増やしたりして工期短縮を確保するようにしてはいるものの、躯体部材の建て込み作業の後に残る床配筋作業や各種部位へのコンクリート打設作業のために、効果的に工期の短縮化を確保することができず、コスト面や敷地の制約からも実行することは難しい。また、建て込み作業と切り離して床配筋などを含む床構築作業を施工する場合には、建て込み作業フロアと床構築作業フロアとで開きが広がるような施工計画では、支保工数量が増加する上に全体の工期も効果的に短縮化できないなどの課題があって、多層建物における合理的な工期短縮化工法の案出が望まれていた。
【０００６】
本発明は上記従来の課題に鑑みて創案されたものであって、床の構築に関わる作業をその他の構築作業から切り離し、当該床の構築に関わる作業の着工時期を適切に設定することで、ＰＣａ化率や揚重機の台数を不必要に増加させることなく、合理的に工期短縮を達成することが可能な多層建物の構築方法を提供することを目的とする。
【課題を解決するための手段】
【０００７】
本発明にかかる多層建物の構築方法は、ＰＣａ柱部材、ＰＣａ梁部材、並びにハーフＰＣａ床部材を用いて構築される多層建物の構築方法において、施工対象階に上記ＰＣａ柱部材を立設し、これらＰＣａ柱部材間に上記ＰＣａ梁部材を架設して柱・梁接合部内に配筋し、これらＰＣａ梁部材間に上記ハーフＰＣａ床部材を架設する第１工程と、該第１工程の施工期間中に着工されて当該第１工程と同時並行的に施工され、施工対象階よりも１階層下に既に設置されている上記ハーフＰＣａ床部材上に、床配筋とスラブコンクリート打設を行って、１階層下の梁・床を一体化する第２工程と、上記第１工程後に着工され、上記施工対象階の上記柱・梁接合部内にコンクリートを打設して当該施工対象階の柱・梁を一体化する第３工程とを含み、これら第１〜第３工程を繰り返すことを特徴とする。
【０００８】
前記施工対象階における前記第１工程の作業工区は、該施工対象階よりも一階層下で施工される前記第２工程の作業工区の直上を避けた区域に設定されることを特徴とする。
【０００９】
本発明にかかる多層建物の構築方法は、ＰＣａ柱部材、ＰＣａ梁部材、並びにハーフＰＣａ床部材を用いて構築される多層建物の構築方法において、施工対象階に上記ＰＣａ柱部材を立設し、これらＰＣａ柱部材間に上記ＰＣａ梁部材を架設して柱・梁接合部内に配筋し、これらＰＣａ梁部材間に上記ハーフＰＣａ床部材を架設する第１工程と、該第１工程の施工期間中に着工されて当該第１工程と同時並行的に施工され、施工対象階よりも１階層下に既に設置されている１階層下の上記ハーフＰＣａ床部材よりもさらに直下に既に設置されかつ床配筋を完了した２階層下の上記ハーフＰＣａ床部材上に、スラブコンクリートを打設して、２階層下の梁・床を一体化する第２工程と、上記第１工程後に着工され、上記施工対象階の上記柱・梁接合部内にコンクリートを打設して当該施工対象階の柱・梁を一体化する第３工程とを含み、これら第１〜第３工程を繰り返すとともに、上記第３工程からこれに続く上記第１工程にわたる施工期間中に着工されて少なくとも当該第３工程と同時並行的に施工され、上記１階層下の上記ハーフＰＣａ床部材上に床配筋を行う第４工程を備えることを特徴とする。
【発明の効果】
【００１０】
本発明にかかる多層建物の構築方法にあっては、床の構築に関わる作業をその他の構築作業から切り離し、当該床の構築に関わる作業の着工時期を適切に設定しているので、ＰＣａ化率や揚重機の台数、支保工数量を不必要に増加させないことでコストや機材のために必要なスペースを増やさずに、合理的に工期短縮を達成することができる。詳細には、請求項１にかかる多層建物の構築方法にあっては、躯体部材のＰＣａ化率を上げるとともに、同一施工対象階で躯体部材の建て込み作業の後に続けて床構築作業を施工するのではなく、これら建て込み作業と床構築作業とを切り離して別々に進めることとし、そしてその際、施工対象階で建て込み作業を行う第１工程の施工期間中に、１階層下で床を構築する第２工程に着工して第１工程と同時並行的に当該第２工程を施工するようにし、第１工程後に、柱・梁接合部へのコンクリート打設を行う第３工程に着工するようにしたので、建て込み作業と床構築作業とを同時並行的に重複して施工することができて、床を構築するための作業日数を建て込み作業の施工期間に納めることが可能となり、これにより１つのフロアの施工所要日数は、建て込みのための第１工程および柱・梁接合部へのコンクリート打設のための第３工程に要する日数となって、ＰＣａ化率や揚重機の台数を不必要に増加させることなく、そしてこれによりコストや機材のために必要なスペースを増やさずに、合理的に多層建物の工期短縮を達成することができる。また、施工対象階の第１工程施工期間中に１階層下で第２工程に着工して第１工程と同時並行的に当該第２工程を施工するようにしたので、建て込み作業と床構築作業の作業工程の施工タイミングを、これら工程間の開きが広がらないように一定の範囲に納めることができて、支保工の数量が過度に増加することも防止できる。また、請求項３にかかる多層建物の構築方法にあっては、躯体部材のＰＣａ化率を上げるとともに、同一施工対象階で躯体部材の建て込み作業の後に続けて床構築作業を施工するのではなく、これら建て込み作業と床構築作業とを切り離して別々に進めることとし、そしてその際、施工対象階で建て込み作業を行う第１工程の施工期間中に、２階層下でスラブコンクリートを打設する第２工程に着工して第１工程と同時並行的に当該第２工程を施工するようにし、第１工程後に、柱・梁接合部へのコンクリート打設を行う第３工程に着工するとともに、さらに第３工程からこれに続く第１工程にわたる施工期間中に、１階層下で床配筋を行う第４工程に着工して少なくとも第３工程と同時並行的に当該第４工程を施工するようにしたので、柱・梁接合部へのコンクリート打設を含む建て込み作業と床構築作業とを同時並行的に重複して施工することができて、床を構築するための作業日数を建て込み作業の施工期間に納めることが可能となり、これにより１つのフロアの施工所要日数は、建て込みのための第１工程および柱・梁接合部へのコンクリート打設のための第３工程に要する日数となって、合理的に多層建物の工期短縮を達成することができる。また、施工対象階の第１工程施工期間中に２階層下で第２工程に着工して第１工程と同時並行的に当該第２工程を施工し、また第３工程からこれに続く第１工程にわたる施工期間中に１階層下で第４工程に着工して少なくとも第３工程と同時並行的に当該第４工程を施工するようにしたので、建て込み作業と床構築作業の作業工程の施工タイミングを、これら工程間の開きが広がらないように一定の範囲に納めることができて、支保工の数量が過度に増加することも防止できる。また、２階層下での第２工程の施工時には、直上の１階層下に既に設置したハーフＰＣａ床部材を、施工対象階で施工される第１工程の建て込み作業の防護屋根として機能させることができて、高い作業安全性を確保することができる。また、１階層下での第４工程の施工を、施工対象階の第３工程の施工期間中に設定することで、当該第４工程の施工安全性も確保することができる。
【発明を実施するための最良の形態】
【００１１】
以下に、本発明にかかる多層建物の構築方法の好適な実施形態を、添付図面を参照して詳細に説明する。図１および図２には、第１実施形態にかかる多層建物の構築方法が示されている。第１実施形態にかかる多層建物の構築方法は基本的には、ＰＣａ柱部材１、ＰＣａ梁部材２、並びにハーフＰＣａ床部材３を用いて構築される多層建物の構築方法において、施工対象階にＰＣａ柱部材１を立設し、これらＰＣａ柱部材１間にＰＣａ梁部材２を架設して柱・梁接合部４内に配筋し、これらＰＣａ梁部材２間にハーフＰＣａ床部材３を架設する第１工程と、第１工程の施工期間中に着工されて当該第１工程と同時並行的に施工され、施工対象階よりも１階層下に既に設置されているハーフＰＣａ床部材３ｕ上に、床配筋（図中、Ａで示す）とスラブコンクリート打設（図中、Ｂで示す）を行って、１階層下の梁・床を一体化する第２工程と、第１工程後に着工され、施工対象階の柱・梁接合部４内にコンクリートを打設して（図中、Ｃで示す）当該施工対象階の柱・梁を一体化する第３工程とを含み、これら第１〜第３工程を繰り返すようになっている。
【００１２】
図示例にあっては、（ｎ）階が施工対象階となっていて、（ｎ−１）階の床上に、柱と梁を建て込み、梁上に床を構築することで当該（ｎ）階の構築が完了することになる。（ｎ）階で柱や梁の建て込み作業に着工する際は、（ｎ−１）階では、当該（ｎ−１）階の梁上へのハーフＰＣａ床部材３ｕの架設を完了し、さらに柱・梁接合部４ｕへのコンクリート打設が終了した段階で、その後に床配筋Ａやスラブコンクリートの打設Ｂが行われる。
【００１３】
図に従って詳細に説明すると、まず第１工程を施工する。図２（ａ）に示すように、床配筋もスラブコンクリート打設も行われていない（ｎ−１）階の床レベル位置で、（ｎ−１）階の柱・梁接合部４ｕ上に、敷きモルタルを介して、（ｎ）階のＰＣａ柱部材１を接合しつつ立設し（図１中、柱ＰＣａ）、支保工５で仮受けする。ＰＣａ柱部材１として、外殻ＰＣａ等のハーフプレキャスト材を用いる場合には、柱主筋同士の接合を予め行っておく。フルプレキャスト材を用いる場合には、主筋接合部にグラウト等を注入して柱主筋同士の接合を行う。柱主筋の接合はその他各種周知の方法を採用することができる。その後、図２（ｂ）に示すように、立設したＰＣａ柱部材１間に、ＰＣａ梁部材２を架設し（図１中、梁ＰＣａ）、必要に応じて支保工５で仮受けする。
【００１４】
ＰＣａ梁部材２をＰＣａ柱部材１間に架設したら、柱・梁接合部４内において、柱主筋および柱せん断補強筋と梁主筋の配筋を行う。本実施形態にあっては、柱主筋は通し配筋とし、柱・梁接合部４内のせん断補強筋を柱主筋に結束する。梁主筋は、柱・梁接合部４内に定着させるか、あるいは適宜位置で圧接もしくは機械式継ぎ手によって通し配筋とする。当該配筋についても、従来周知の各種方式を採用することができる。柱・梁接合部４には、コンクリート打設のための型枠を設置する。また、ＰＣａ梁部材２間に、ハーフＰＣａ床部材３を架設し（図１中、スラブＰＣａ）、必要に応じて支保工５で仮受けする。第１工程では（ｎ）階に対し、以上のようなＰＣａ製躯体部材１〜３の建て込みが順次行われていく。
【００１５】
このような第１工程の施工期間中に、第２工程が着工される。図２（ｂ）に示すように、（ｎ）階よりも先行して施工が行われる当該（ｎ）階直下の（ｎ−１）階には上述したように、当該（ｎ−１）階に対する第１工程によって、既にハーフＰＣａ床部材３ｕが設置されている。第２工程では、第１工程の進行と並行に、この（ｎ−１）階のハーフＰＣａ床部材３ｕ上に、床配筋Ａを行い（図１中、スラブ配筋）、その後スラブコンクリートを打設Ｂして（図１中、スラブトップＣｏｎ）、（ｎ−１）階の梁・床を一体化する。すなわち、第２工程により、ＰＣａ製躯体部材１〜３の建て込み作業を行う第１工程後に残る床構築作業が完了し、（ｎ−１）階の構築が完了する。
【００１６】
この第２工程の施工完了時期は、（ｎ）階における第２工程の着工前までに設定すればよく、図１にその一例を示すように、（ｎ）階における第１工程の施工完了時期に合わせてもよく、あるいは、その後の（ｎ）階における第３工程の施工完了時期に合わせるようにしてもよい。好ましくは、第３工程の柱・梁接合部４に対するコンクリート打設作業Ｃと、第２工程のスラブコンクリートの打設作業Ｂがダブらないように、第２工程の施工完了時期は、第１工程の施工完了時期に合わせるように設定することが好ましい。
【００１７】
第３工程は、第１工程の施工完了後に着工される。図２（ｃ）に示すように、配筋を完了した柱・梁接合部４内にコンクリートを打設Ｃし（図１中、柱・梁接合部内Ｃｏｎ）、（ｎ）階の柱・梁を一体化する。これにより、（ｎ−１）階上に（ｎ）階を施工する段階を示した図２（ａ）と同様に、（ｎ）階上に（ｎ＋１）階を施工する段階となり、以後、上述した第１工程から第３工程を繰り返すことで、順次上層に向かって多層建物を構築することができる。
【００１８】
第１実施形態にかかる多層建物の構築方法にあっては、躯体部材のＰＣａ化率を上げるとともに、同一施工対象階で躯体部材の建て込み作業の後に続けて床構築作業を施工するのではなく、これら建て込み作業と床構築作業とを切り離して別々に進めることとし、そしてその際、施工対象階で建て込み作業を行う第１工程の施工期間中に、１階層下で床を構築する第２工程に着工して第１工程と同時並行的に当該第２工程を施工するようにし、第１工程後に、柱・梁接合部へのコンクリート打設を行う第３工程に着工するようにしたので、建て込み作業と床構築作業とを同時並行的に重複して施工することができて、床を構築するための作業日数を建て込み作業の施工期間に納めることが可能となり、これにより１つのフロアの施工所要日数は、建て込みのための第１工程および柱・梁接合部へのコンクリート打設のための第３工程に要する日数となって、ＰＣａ化率や揚重機の台数を不必要に増加させることなく、そしてこれによりコストや機材のために必要なスペースを増やさずに、合理的に多層建物の工期短縮を達成することができる。
【００１９】
また、施工対象階の第１工程施工期間中に１階層下で第２工程に着工して第１工程と同時並行的に当該第２工程を施工するようにしたので、建て込み作業と床構築作業の作業工程の施工タイミングを、これら工程間の開きが広がらないように一定の範囲に納めることができて、支保工の数量が過度に増加することも防止できる。
【００２０】
次に、第２実施形態にかかる多層建物の構築方法について説明する。第１実施形態では、第１工程が施工される施工対象階（（ｎ）階）で第１工程を施工しつつ、その直下で１階層下の（ｎ−１）階に対し、第２工程を施工する場合について説明したが、建て込み作業区域の直下で床構築作業を施工することは、安全性が懸念される。第２実施形態にあっては、図示しないけれども、（ｎ）階における第１工程の作業工区を２以上設定するとともに、１階層下の（ｎ−１）階における第２工程の作業工区も２以上設定し、第１工程の作業工区と第２工程の作業工区とが上下に重ならないように、第１工程の作業工区を第２工程の作業工区の直上を避けた区域に設定する、言い換えれば、第２工程を施工している上方で、第１工程の施工が行われないようになっている。
【００２１】
このようにすることで第２実施形態にかかる多層建物の構築方法にあっては、第１実施形態と同様の作用・効果を確保することができるとともに、さらにＰＣａ製躯体部材１〜３の建て込み作業が床構築作業に干渉することを防止できて、高い安全性を確保することができる。
【００２２】
また、この第２実施形態から理解できるように、第１実施形態では、多層建物の高さ方向に直下・直上の関係で第１〜第３工程を繰り返して構築作業を進める場合を例示して説明したが、１つのフロアに平面的に多数の工区を設定し、いずれかの工区で第１工程を施工する一方で、他の工区で第２工程を施工し、また第１工程後に第３工程を施工するようにして、これを１つのフロアの全工区で行って、直下・直上の関係にない施工態様で多層建物の構築を進めていくようにしてもよいことはもちろんである。
【００２３】
次に、第３実施形態にかかる多層建物の構築方法について説明する。図３および図４に示すように、第３実施形態にかかる多層建物の構築方法は基本的には、ＰＣａ柱部材１、ＰＣａ梁部材２、並びにハーフＰＣａ床部材３を用いて構築される多層建物の構築方法において、施工対象階にＰＣａ柱部材１を立設し、これらＰＣａ柱部材１間にＰＣａ梁部材２を架設して柱・梁接合部４内に配筋し、これらＰＣａ梁部材２間にハーフＰＣａ床部材３を架設する第１工程と、第１工程の施工期間中に着工されて当該第１工程と同時並行的に施工され、施工対象階よりも１階層下に既に設置されている１階層下のハーフＰＣａ床部材３ｕよりもさらに直下に既に設置されかつ床配筋Ａを完了した２階層下のハーフＰＣａ床部材３ｕ2上に、スラブコンクリートを打設Ｂして、２階層下の梁・床を一体化する第２工程と、第１工程後に着工され、施工対象階の柱・梁接合部４内にコンクリートを打設Ｃして当該施工対象階の柱・梁を一体化する第３工程とを含み、これら第１〜第３工程を繰り返すとともに、第３工程からこれに続く第１工程にわたる施工期間中に着工されて少なくとも当該第３工程と同時並行的に施工され、１階層下のハーフＰＣａ床部材３ｕ上に床配筋Ａを行う第４工程を備える。
【００２４】
図示例にあっては、（ｎ）階が施工対象階となっていて、（ｎ−１）階の床上に、柱と梁を建て込み、梁上に床を構築することで当該（ｎ）階の構築が完了することになる。（ｎ）階で柱や梁の建て込み作業に着工する際は、（ｎ−２）階では、当該（ｎ−２）階のハーフＰＣａ床部材３ｕ2に対する床配筋Ａが完了した段階で、その後にスラブコンクリートの打設Ｂが行われる。そして、これら（ｎ−２）階と（ｎ）階との間の（ｎ−１）階では、当該（ｎ−１）階の梁上へのハーフＰＣａ床部材３ｕの架設を完了し、さらに柱・梁接合部４ｕへのコンクリート打設が終了した段階で、その後に床配筋Ａが施工される。
【００２５】
図に従って詳細に説明すると、まず第１工程を施工する。第１工程は上記第１実施形態と同様であり、図４（ａ）および（ｂ）に示すように、床配筋もスラブコンクリート打設も行われていない（ｎ−１）階の床レベル位置を基準として、施工対象階である（ｎ）階に、ＰＣａ柱部材１、ＰＣａ梁部材２およびハーフＰＣａ床部材３を建て込み、柱・梁接合部４に柱主筋および柱せん断補強筋と梁主筋の配筋を行う作業を実施する（図３中、柱ＰＣａ→梁ＰＣａ→スラブＰＣａ）。このようにして、第１工程では、（ｎ）階に対するＰＣａ製躯体部材１〜３の建て込みが順次行われていく。
【００２６】
このような第１工程の施工期間中に、第２工程が着工される。図４（ａ）に示すように、（ｎ）階や（ｎ−１）階よりも下方であって、これらよりも先行して施工が行われた（ｎ−２）階では上述したように、当該（ｎ−２）階に対する第１工程や当該第１工程後の第３工程、並びに第３工程から（ｎ−１）階における第１工程にわたる施工期間中に着工される第４工程によって、ハーフＰＣａ床部材３ｕ2の架設、柱・梁接合部へのコンクリート打設、さらにはハーフＰＣａ床部材３ｕ2に対する床配筋Ａが完了している。
【００２７】
第２工程では、（ｎ−１）階のハーフＰＣａ床部材３ｕで覆われた下方で、第１工程の進行と並行に、この（ｎ−２）階のハーフＰＣａ床部材３ｕ2上にスラブコンクリートを打設Ｂして（図３中、スラブトップＣｏｎ）、（ｎ−２）階の梁・床を一体化する。すなわち、第２工程により、ＰＣａ製躯体部材１〜３の建て込み作業を行う第１工程後に残る床構築作業のうち、スラブコンクリート打設作業Ｂが完了し、（ｎ−２）階の構築が完了する。
【００２８】
この第２工程の施工完了時期は、（ｎ−１）階における第２工程の着工前までに設定すればよく、図３にその一例を示すように、（ｎ）階における第１工程の施工完了時期に合わせてもよく、あるいは、その後の（ｎ）階における第３工程の施工完了時期に合わせるようにしてもよい。好ましくは、（ｎ）階における第３工程の柱・梁接合部４に対するコンクリート打設作業Ｃと、当該（ｎ−２）階における第２工程のスラブコンクリートの打設作業Ｂがダブらないように、第２工程の施工完了時期は、（ｎ）階における第１工程の施工完了時期に合わせるように設定することが好ましい。
【００２９】
第３工程は、第１工程の施工完了後に着工される。図４（ｃ）に示すように、（ｎ）階の配筋を完了した柱・梁接合部４内にコンクリートを打設Ｃし（図３中、柱・梁接合部内Ｃｏｎ）、（ｎ）階の柱・梁を一体化する。これにより、（ｎ−１）階上に（ｎ）階を施工する段階を示した図４（ａ）と同様に、（ｎ）階上に（ｎ＋１）階を施工する段階となり、以後、上述した第１工程から第３工程を繰り返すことで、床配筋Ａのタイミングを除き、順次上層に向かって多層建物が構築されていく。
【００３０】
第４工程の床配筋Ａの施工タイミングは、施工対象階からその上の階に施工が移る段階、すなわち、（ｎ）階から（ｎ＋１）階へ施工が移って、（ｎ−１）階が２階層下となる際の第３工程から第１工程にわたる施工期間中に設定される。図４（ｃ）に示すように、（ｎ）階よりも１階層下であって、当該（ｎ）階よりも先行して施工が行われた（ｎ−１）階では上述したように、当該（ｎ−１）階に対する第１工程や当該第１工程後の第３工程によって、ハーフＰＣａ床部材３ｕの架設や柱・梁接合部４ｕへのコンクリート打設が完了している。第４工程では、（ｎ）階での第３工程により柱・梁接合部４にコンクリートを打設Ｃする過程以降において、当該第３工程、そしてまた必要に応じて第１工程の進行と並行に、この（ｎ−１）階のハーフＰＣａ床部材３ｕ上に床配筋Ａを行うようになっている（図３中、スラブ配筋）。
【００３１】
第４工程の施工完了時期は、（ｎ−１）階における第２工程の着工前までに設定すればよく、図３にその一例を示すように、（ｎ）階における第３工程の施工完了時期に合わせてもよく、あるいは、その後の（ｎ＋１）階における第１工程の施工期間中の適宜時期に合わせるようにしてもよい。好ましくは、（ｎ）階における第３工程の柱・梁接合部４に対するコンクリート打設作業Ｃと、当該（ｎ−１）階における第２工程のスラブコンクリートの打設作業Ｂがダブらないように、第４工程の施工完了時期は、（ｎ）階における第３工程の施工完了時期に合わせるように設定することが好ましい。
【００３２】
第３実施形態にかかる多層建物の構築方法にあっては、躯体部材のＰＣａ化率を上げるとともに、同一施工対象階で躯体部材の建て込み作業の後に続けて床構築作業を施工するのではなく、これら建て込み作業と床構築作業とを切り離して別々に進めることとし、そしてその際、施工対象階で建て込み作業を行う第１工程の施工期間中に、２階層下でスラブコンクリートを打設Ｂする第２工程に着工して第１工程と同時並行的に当該第２工程を施工するようにし、第１工程後に、柱・梁接合部４へのコンクリート打設Ｃを行う第３工程に着工するとともに、さらに第３工程からこれに続く第１工程にわたる施工期間中に、１階層下で床配筋Ａを行う第４工程に着工して少なくとも第３工程と同時並行的に当該第４工程を施工するようにしたので、柱・梁接合部４へのコンクリート打設Ｃを含む建て込み作業と床構築作業とを同時並行的に重複して施工することができて、床を構築するための作業日数を建て込み作業の施工期間に納めることが可能となり、これにより１つのフロアの施工所要日数は、建て込みのための第１工程および柱・梁接合部４へのコンクリート打設Ｃのための第３工程に要する日数となって、合理的に多層建物の工期短縮を達成することができる。
【００３３】
また、施工対象階の第１工程施工期間中に２階層下で第２工程に着工して第１工程と同時並行的に当該第２工程を施工し、また第３工程からこれに続く第１工程にわたる施工期間中に１階層下で第４工程に着工して少なくとも第３工程と同時並行的に当該第４工程を施工するようにしたので、建て込み作業と床構築作業の作業工程の施工タイミングを、これら工程間の開きが広がらないように一定の範囲に納めることができて、支保工の数量が過度に増加することも防止できる。また、（ｎ−２）階での第２工程の施工時には、直上の（ｎ−１）階に既に設置したハーフＰＣａ床部材３ｕを、（ｎ）階で施工される第１工程の建て込み作業の防護屋根として機能させることができて、高い作業安全性を確保することができる。また、（ｎ−１）階での第４工程の施工を、（ｎ）階の第３工程の施工期間中に設定することで、当該第４工程の施工安全性も確保することができる。
【００３４】
この第３実施形態にあっても、１つのフロアに平面的に多数の工区を設定し、いずれかの工区で第１工程を施工し、他の工区で第２工程を施工する一方で、さらに他の工区で第４工程を施工し、また第１工程後に第３工程を施工するようにして、これを１つのフロアの全工区で行って、直下・直上の関係にない施工態様で多層建物の構築を進めていくようにしてもよいことはもちろんである。
【００３５】
なお、各実施形態に適用するＰＣａ柱部材１およびＰＣａ梁部材２としては、フルプレキャスト製であっても、また主筋等を埋設した、もしくは埋設されていないハーフプレキャスト製のいずれであってもよいことはもちろんであり、この場合のハーフプレキャストは外殻プレキャストや型枠プレキャストなどの永久型枠を含む。またハーフＰＣａ床部材３としては、部分ハーフプレキャスト製のものおよびデッキスラブも含まれる。また施工工程上、柱・梁接合部４に打設するコンクリートとスラブコンクリートとして、必要強度に応じ、異なる種別のコンクリートを打設することができる。さらに、ハーフＰＣａ床部材３としてはプレキャスト製のバルコニー６を含み、ハーフＰＣａ床部材３を架設する際もしくは架設終了後に、これと合わせて設置することで住宅などのためにバルコニーを付加することができる。なお、バルコニー６の設置状況にかかわらず、ハーフＰＣａ床部材３の架設終了をもってその範囲での第１工程が終了したとし、その範囲ではこれに続く工程を開始できるようにするため、バルコニー６はハーフＰＣａ床部材３の架設終了後に設置作業を開始することが好ましい。
【図面の簡単な説明】
【００３６】
【図１】本発明にかかる多層建物の構築方法の第１実施形態を説明する工程図である。
【図２】図１の第１実施形態の施工状態を説明する説明図である。
【図３】本発明にかかる多層建物の構築方法の第３実施形態を説明する工程図である。
【図４】図３の第３実施形態の施工状態を説明する説明図である。
【図５】従来における多層建物の施工工程の一例を示す工程図である。
【符号の説明】
【００３７】
１  ＰＣａ柱部材
２  ＰＣａ梁部材
３  ハーフＰＣａ床部材
３ｕ  １階層下のハーフＰＣａ床部材
３ｕ2  ２階層下のハーフＰＣａ床部材
４  柱・梁接合部
Ａ  床配筋
Ｂ  スラブコンクリート打設
Ｃ  柱・梁接合部内へのコンクリート打設
【図１】
0004611163.tif 000002
【図２】
0004611163.tif 000003
【図３】
0004611163.tif 000004
【図４】
0004611163.tif 000005
【図５】
0004611163.tif 000006